(57)【要約】  本発明の医用画像診断装置1操作装置100は、データ読取装置114等を用いて診察券等から読み取った被検者識別情報に紐づけられた被検者情報や検査情報を検査予約システム115から取得し、情報登録画面31に表示し、所定の待機時間が経過すると、次に操作装置100は画面の表示を撮影条件設定画面32に切替え、撮影条件設定画面32には、情報登録画面31にて表示された検査情報に該当する撮影条件が表示し、更に所定の待機時間が経過すると医用画像診断装置112の撮影準備処理を開始し、撮影開始の指示は手動操作で行い、これにより作業負担を軽減させる。
2017086101.tif 000002
【特許請求の範囲】
【請求項１】
撮影準備に必要な情報である撮影準備情報を取得する情報取得手段と、
前記撮影準備情報を複数の段階に分けて、分けられた前記撮影準備情報を所定の待機時間の経過に伴い順次表示する表示制御手段と、
撮影開始指示を入力する際に操作される操作手段と、
前記操作手段による撮影開始操作をトリガとして撮影を開始する撮影制御手段と、
を備えることを特徴とする医用画像診断装置。
【請求項２】
前記撮影準備情報は、被検者情報、検査情報、及び撮影条件を含み、
前記表示制御手段は、前記被検者情報及び検査情報を反映した第1画面を表示した後、所定の待機時間経過後に前記撮影条件を反映した第2画面へ遷移させることを特徴とする請求項1に記載の医用画像診断装置。
【請求項３】
前記表示制御手段は、前記第2画面を表示した後、所定の待機時間経過後に前記操作手段を有効にすることを特徴とする請求項2に記載の医用画像診断装置。
【請求項４】
前記待機時間の設定または変更を受け付ける待機時間設定手段を更に備えることを特徴とする請求項1に記載の医用画像診断装置。
【請求項５】
前記待機時間の経過中に前記待機時間を調整する調整手段を更に備えることを特徴とする請求項1に記載の医用画像診断装置。
【請求項６】
前記調整手段は、前記待機時間の経過速度または経過した時間を調整可能とすることを特徴とする請求項5に記載の医用画像診断装置。
【請求項７】
前記表示制御手段は、被検者の年齢または性別に応じて前記待機時間を変化させることを特徴とする請求項1に記載の医用画像診断装置。
【請求項８】
前記表示制御手段は、表示される情報量に応じて前記待機時間を変化させることを特徴とする請求項1に記載の医用画像診断装置。
【請求項９】
前記撮影準備情報の表示の切替操作を受付ける切替手段と、
前記撮影準備情報の表示開始から前記切替手段による切替操作が行われるまでの時間を計測し、学習データとして保持する計測手段と、
前記学習データに基づき前記待機時間を求める待機時間算出手段と、
を更に備えることを特徴とする請求項1に記載の医用画像診断装置。
【請求項１０】
前記表示制御手段は、前記撮影準備情報に含まれる各項目の表示欄に待機時間の経過を表示することを特徴とする請求項1に記載の医用画像診断装置。
【請求項１１】
医用画像診断装置が、
撮影準備に必要な情報である撮影準備情報を取得するステップと、
前記撮影準備情報を複数の段階に分けて、分けられた前記撮影準備情報を所定の待機時間の経過に伴い順次表示するステップと、
操作者による撮影開始操作をトリガとして撮影を開始するステップと、
を含む撮影準備方法。
【発明の詳細な説明】
【技術分野】
【０００１】
本発明は、医用画像診断装置及び撮影準備方法に係り、詳細には、医用画像診断装置の操作性の改良に関する。
【背景技術】
【０００２】
医用画像診断装置を用いた検査では、撮影を開始する前に撮影対象となる被検者の情報を入力し、撮影条件を設定する必要がある。具体的には、操作者は被検者名、被検者番号、生年月日等の基本的な被検者情報と検査部位を医用画像診断装置に登録する。これらの情報は検査予約システム等において検査の予約情報として予め登録しておくこともできる。【０００３】
検査の予約情報が予め登録されている場合は、操作者は検査当日に該当する被検者を選択入力することで、被検者情報が医用画像診断装置に登録され画面上に表示される。そして操作者は表示内容を確認後、画面を遷移させるクリック操作等を行って、引き続き撮影条件設定画面を表示させる。【０００４】
このとき、被検者情報に紐づいて登録されている検査の撮影プロトコル(撮影条件)が読み込まれ、撮影条件設定画面の各項目に表示される。そして操作者は撮影条件設定画面の表示内容を確認し、クリック操作等によって条件を確定した後、撮影準備へと移行する。撮影準備が完了すると、操作者は撮影開始ボタン等の操作によって撮影を開始する。【０００５】
ところで、健康診断等の集団検査では、複数の検査を同じ撮影条件で行うことがある。【０００６】
この場合も上述したように、操作者は被検者情報及び撮影条件を毎回医用画像診断装置に設定する必要がある。そのため操作者は撮影の都度、同じ操作を繰り返す必要があった。【０００７】
また検査終了後は、次の被検者の被検者情報を登録するために登録画面を表示させる操作を行う必要があった。これに対し、特許文献1には、検査終了後に事前に予約されている次の被検者の登録画面へ自動的に遷移する医用画像診断装置が提案されている。これにより、操作者の負担を軽減するとともに撮影全体のスループットの向上を図っている。
【先行技術文献】
【特許文献】
【０００８】
【特許文献１】特開2009-45218号公報
【発明の概要】
【発明が解決しようとする課題】
【０００９】
しかしながら、特許文献1に開示されている手法では、前の被検者の撮影が完了し、次の被検者の情報登録画面に遷移した後、操作者が被検者情報を確定する操作を行い、続けて撮影条件を設定する必要がある。上述したように、集団検査等ではほとんどの被検者に対して同様の撮影条件で撮影を実施する。そのため、操作者は、被検者情報の確定操作を行った後、撮影条件を設定する画面へ遷移させ、撮影条件の確定操作を行うという操作を繰り返し行うこととなる。よって操作の回数が多く、検査全体のスループットの向上は十分ではない。【００１０】
本発明は、以上の問題点に鑑みてなされたものであり、撮影準備における操作者の操作回数を減らし、検査全体の作業負担を軽減させることが可能な医用画像診断装置及び撮影準備方法を提供することを目的とする。
【課題を解決するための手段】
【００１１】
前述した目的を達成するために本発明は、撮影準備に必要な情報である撮影準備情報を取得する情報取得手段と、前記撮影準備情報を複数の段階に分けて、分けられた前記撮影準備情報を所定の待機時間の経過に伴い順次表示する表示制御手段と、撮影開始指示を入力する際に操作される操作手段と、前記操作手段による撮影開始操作をトリガとして撮影を開始する撮影制御手段と、を備えることを特徴とする医用画像診断装置である。【００１２】
また、医用画像診断装置が、撮影準備に必要な情報である撮影準備情報を取得するステップと、前記撮影準備情報を複数の段階に分けて、分けられた前記撮影準備情報を所定の待機時間の経過に伴い順次表示するステップと、操作者による撮影開始操作をトリガとして撮影を開始するステップと、を含む撮影準備方法である。
【発明の効果】
【００１３】
本発明により、撮影準備における操作者の操作回数を減らし、検査全体の作業負担を軽減させることが可能な医用画像診断装置及び撮影準備方法を提供できる。
【図面の簡単な説明】
【００１４】
【図１】医用画像診断装置1の全体構成を示す図
【図２】医用画像診断装置1の操作装置100が実行する撮影準備処理の流れを説明するフローチャート
【図３】各画面の表示時間(画面遷移までの待機時間)を設定するための自動遷移設定画面30の一例
【図４】(a)情報登録画面31、(b)撮影条件設定画面32の例
【図５】待機時間の経過を待機中に操作者の操作により待機時間を調整するための計時調整処理の流れを説明するフローチャート
【図６】計時調整処理におけるマウス操作の例
【図７】学習データ4の一例
【図８】各項目の表示欄に待機時間の経過を表示する情報登録画面35の一例
【図９】待機時間の経過を画面の一部に表示する情報登録画面37の一例
【図１０】医用画像撮影装置112側での操作に連動して待機時間を調整する処理を含む撮影準備処理の流れを示すフローチャート
【発明を実施するための形態】
【００１５】
本発明に係る医用画像診断装置は、撮影準備に必要な情報である撮影準備情報を取得する情報取得手段と、前記撮影準備情報を複数の段階に分けて、分けられた前記撮影準備情報を所定の待機時間の経過に伴い順次表示する表示制御手段と、撮影開始指示を入力する際に操作される操作手段と、前記操作手段による撮影開始操作をトリガとして撮影を開始する撮影制御手段と、を備えることを特徴とする。
【００１６】
また、前記撮影準備情報は、被検者情報、検査情報、及び撮影条件を含み、前記表示制御手段は、前記被検者情報及び検査情報を反映した第1画面を表示した後、所定の待機時間経過後に前記撮影条件を反映した第2画面へ遷移させることを特徴とする。
【００１７】
また、前記表示制御手段は、前記第2画面を表示した後、所定の待機時間経過後に前記操作手段を有効にすることを特徴とする。
【００１８】
また、前記待機時間の設定または変更を受け付ける待機時間設定手段を更に備えることを特徴とする。
【００１９】
また、前記待機時間の経過中に前記待機時間を調整する調整手段を更に備えることを特徴とする。
【００２０】
また、前記調整手段は、前記待機時間の経過速度または経過した時間を調整可能とすることを特徴とする。
【００２１】
また、前記表示制御手段は、被検者の年齢または性別に応じて前記待機時間を変化させることを特徴とする。
【００２２】
また、前記表示制御手段は、表示される情報量に応じて前記待機時間を変化させることを特徴とする。
【００２３】
また、前記撮影準備情報の表示の切替操作を受付ける切替手段と、前記撮影準備情報の表示開始から前記切替手段による切替操作が行われるまでの時間を計測し、学習データとして保持する計測手段と、前記学習データに基づき前記待機時間を求める待機時間算出手段と、を更に備えることを特徴とする。
【００２４】
また、前記表示制御手段は、前記撮影準備情報に含まれる各項目の表示欄に待機時間の経過を表示することを特徴とする。
【００２５】
また、本発明の撮影準備方法は、医用画像診断装置が、撮影準備に必要な情報である撮影準備情報を取得するステップと、前記撮影準備情報を複数の段階に分けて、分けられた前記撮影準備情報を所定の待機時間の経過に伴い順次表示するステップと、操作者による撮影開始操作をトリガとして撮影を開始するステップと、を含むことを特徴とする。
【００２６】
以下図面に基づいて、本発明の実施形態を詳細に説明する。
【００２７】
［第1の実施の形態］
まず、図1を参照して本発明に係る医用画像診断装置1の構成について説明する。
【００２８】
図1に示すように本発明に係る医用画像診断装置1は、医用画像撮影装置112及び操作装置100を備えて構成される。医用画像撮影装置112は、医用画像を撮影する装置であり、例えばX線源及びX線検出器とこれらを支持するアームまたは回転盤とアームの位置を移動したり回転盤を回転させたりするための駆動機構と寝台等を備える。医用画像撮影装置112の動作は操作装置100のCPU101により制御される。
【００２９】
操作装置100は、操作者による操作を入力し、入力指示に従って医用画像撮影装置112における撮影動作を制御するとともに、医用画像撮影装置112の撮影動作によって得たデータに基づき医用画像を生成し、出力する装置である。
【００３０】
図1に示すように、操作装置100は、CPU(Central Processing Unit)101、主メモリ102、記憶装置103、通信インタフェース(通信I/F)104、表示メモリ105、表示装置107、キーボード等の入力装置109、マウス108等のポインティングデバイスや他の外部機器とのインタフェース(I/F)106、及びデータ読取装置114を備え、各部はバス113を介して接続されている。データ読取装置114はI/F106を介して操作装置100と接続されてもよい。
【００３１】
また、操作装置100は通信I/F104を介してネットワーク110上の画像データベース111や検査予約システム115等にアクセス可能である。
【００３２】
ネットワーク110は、LAN(Local Area Network)、WAN(Wide Area Network)、インターネット等の各種通信網を含み、画像データベース111や検査予約システム115、サーバ、他の情報機器等と操作装置100との通信接続を媒介する。
【００３３】
検査予約システム115とは、病院情報管理システム(HIS)、放射線部門情報管理システム(RIS)等の検査予約や検査に関する情報を管理するサーバ装置である。検査予約システム115は、1または複数の医用画像診断装置1の検査予約情報や、被検者情報、検査の内容に関する情報である検査情報、各種検査の撮影条件等を所定の記憶領域(データベース等の記憶装置)に記憶する。
【００３４】
画像データベース111は、医用画像撮影装置112によって撮影された画像データを蓄積して記憶するものである。図1の例では、画像データベース111はネットワーク110を介して操作装置100に接続される構成であるが、操作装置100内の例えば記憶装置103に画像データベース111を設けるようにしてもよい。
【００３５】
操作装置100のCPU101は、主メモリ102または記憶装置103等に格納されるプログラムを主メモリ102のRAM上のワークメモリ領域に呼び出して実行し、バス113を介して接続された各部を駆動制御し、操作装置100が行う各種処理を実現する。
【００３６】
CPU101は、医用画像撮影装置112を用いた医用画像の撮影において、図2に示す手順で撮影準備処理を実行する。この撮影準備処理の詳細については後述する。
【００３７】
主メモリ102は、ROM(Read Only Memory)、RAM(Random Access Memory)等により構成される。ROMはコンピュータのブートプログラムやBIOS等のプログラム、データ等を恒久的に保持している。また、RAMは、ROM、記憶装置103等からロードしたプログラム、データ等を一時的に保持するとともに、CPU101が各種処理を行う為に使用するワークエリアを備える。
【００３８】
記憶装置103は、HDD(ハードディスクドライブ)や他の記録媒体へのデータの読み書きを行う記憶装置であり、CPU101が実行するプログラム、プログラム実行に必要なデータ、OS(オペレーティングシステム)等が格納される。プログラムに関しては、OSに相当する制御プログラムや、アプリケーションプログラムが格納されている。これらの各プログラムコードは、CPU101により必要に応じて読み出されて主メモリ102のRAMに移され、各種の手段として実行される。
【００３９】
通信I/F104は、通信制御装置、通信ポート等を有し、操作装置100とネットワーク110との通信を媒介する。また通信I/F104は、ネットワーク110を介して、画像データベース111、検査予約システム115、その他のコンピュータとの通信制御を行う。
【００４０】
I/F106は、周辺機器を接続するためのポートであり、周辺機器とのデータの送受信を行う。例えば、マウス108やスタイラスペン等のポインティングデバイスはI/F106を介して接続される。ポインティングデバイスは指示位置情報や移動量、移動方向、マウスボタン等の操作情報をCPU101に出力する。
【００４１】
表示メモリ105は、CPU101から入力される表示データを一時的に蓄積するバッファである。蓄積された表示データは所定のタイミングで表示装置107に出力される。
【００４２】
表示装置107は、液晶パネル、CRTモニタ等のディスプレイ装置と、ディスプレイ装置と連携して表示処理を実行するための論理回路で構成され、表示メモリ105を介してCPU101に接続される。表示装置107はCPU101の制御により表示メモリ105に蓄積された表示データを表示する。
【００４３】
入力装置109は、例えば、キーボード等の入力装置であり、操作者によって入力される各種の指示や情報をCPU101に出力する。操作者は、表示装置107、入力装置109、及びマウス108等のポインティングデバイスを使用して対話的に操作装置100を操作する。
【００４４】
データ読取装置114は、バーコードリーダやカードリーダ等の記録媒体からデータを読み取るデータ読取装置である。データ読取装置114は、例えば診察券のバーコード情報やカード情報を読み取り、CPU101に入力する。バーコード情報やカード情報には、少なくとも診察券番号や患者ID等の被検者識別情報が記録されているものとする。
【００４５】
次に、第1の実施の形態の操作装置100が実行する撮影準備処理の流れを図2のフローチャートを参照して説明する。
【００４６】
操作装置100が起動されると、操作装置100のCPU101は、主メモリ102または記憶装置103から自動画面遷移制御タスクを読み込み、実行する(ステップS101)。ステップS101においてCPU101は、自動画面遷移のための設定情報を主メモリ102または記憶装置103から読み込む。設定情報は、デフォルトで設定された値または操作者が予め自動遷移設定画面30(図3参照)等を用いて設定した値が記録されている。
【００４７】
図3は自動遷移設定画面30の一例を示す図である。
【００４８】
図3に示すように、自動遷移設定画面30は、画面の自動遷移モードをONとするかOFFとするかを選択するモード選択欄30aと、被検者情報や検査情報を表示する情報登録画面31の表示時間(次の画面へ遷移するまでの待機時間)を設定するための入力欄30bと、撮影条件設定画面32の表示時間(撮影準備へ移行するまでの待機時間)を設定するための入力欄30cとが設けられる。
【００４９】
入力欄30b、30cはプルダウンリストで複数の表示時間の候補を表示してもよいし、任意の値を入力可能としてもよい。入力欄30b、30cに対して情報登録画面31の表示時間及び撮影条件設定画面32の表示時間がそれぞれ設定され、「保存」ボタン30eがマウス108等によって押下されると、CPU101は入力された値を自動画面遷移の設定情報として記憶装置103の所定の保存先に保存する。「キャンセル」ボタン30dがマウス108等によって押下されると自動遷移設定画面30を閉じ、元の処理へ戻る。
【００５０】
なお、自動画面遷移の設定情報は操作者毎に異なる値が設定されてもよい。その場合、ステップS101において設定情報を読み出す際に、CPU101はログイン中の操作者の識別情報に基づいて記憶装置103から該当する操作者の設定情報を取得する。
【００５１】
次に、CPU101は、ステップS101において読み込んだ設定情報に基づき、自動画面遷移モードのON/OFFを判定する(ステップS102)。自動画面遷移モードがOFFの場合は(ステップS102；OFF)、そのまま自動画面遷移制御タスクを終了し、通常の処理(手動で画面を遷移させる処理)へ移行する。
【００５２】
自動画面遷移モードがONの場合は(ステップS102；ON)、CPU101は、撮影準備に必要な情報の登録や設定、及び撮影準備の開始までの処理を操作者の操作なしで行う。そのため、まずCPU101は被検者情報及び検査情報を取得する(ステップS103)。
【００５３】
被検者情報は、操作者が入力装置109等を用いて入力してもよいが、診察券等のバーコードやICカードに記録された診察券番号や被検者識別情報をデータ読取装置114を用いて読取り、CPU101が該当する被検者情報を検査予約システム115等から取得することが望ましい。CPU101は被検者情報のうち撮影準備に必要な情報(被検者番号、受付番号、被検者名、生年月日、性別等)を検査予約システム115等から読み込む。また、CPU101は被検者情報に紐づけて登録されている検査情報(検査部位、撮影条件、撮影指示等)を上述の検査予約システム115等から読み込む。
【００５４】
なお、被検者情報や検査情報が検査予約システム115に登録されていない場合や修正が必要な場合は、操作者が検査票を確認し、医師の指示等をもとに入力装置109を用いて入力することとなる。この場合は、自動画面遷移モードをOFFにする。
【００５５】
CPU101は、ステップS103で取得した被検者情報及び検査情報を情報登録画面31に反映して表示する。CPU101は情報登録画面31の表示開始とともに、表示時間を計時する(ステップS104)。
【００５６】
図4(a)は情報登録画面31の一例である。図4(a)に示すように、情報登録画面31には、被検者情報入力領域31aと検査情報入力領域31bが設けられる。ステップS104の処理によって被検者情報入力領域31aにステップS103で取得した被検者情報が反映されて表示され、検査情報入力領域31bにステップS103で取得した検査情報が反映されて表示される。
【００５７】
CPU101は情報登録画面31の表示残り時間(待機時間)が「0」となるまで待機する(ステップS105；No)。なお、情報登録画面31の表示残り時間(待機時間)が「0」となる前に、被検者情報入力領域31aまたは検査情報入力領域31bがマウス108等でクリックされると、CPU101は自動画面遷移モードをOFFにし、被検者情報入力領域31aまたは検査情報入力領域31bのデータの修正や入力を受け付ける。
【００５８】
この場合は、CPU101は「登録完了」ボタン31cを表示する。「登録完了」ボタン31cはデータの修正や追加入力が完了した際に操作者により操作される。「登録完了」ボタン31cが押下されると強制的に次の画面(撮影条件設定画面32)へ遷移する。
【００５９】
CPU101は情報登録画面31の表示残り時間が「0」になると(ステップS105；Yes)、検査情報に対応する撮影プロトコル(撮影条件)を読み出し(ステップS106)、情報登録画面31に反映して表示する。CPU101は表示開始とともに表示時間を計時する(ステップS107)。
【００６０】
図4(b)は撮影条件設定画面32の一例である。図4(b)に示すように、撮影条件設定画面32には、撮影条件の各パラメータの値を表示する撮影条件設定領域32aや画像表示欄32b、32c、32d等が設けられる。ステップS107の処理によって撮影条件設定領域32aにステップS106で取得した撮影条件が反映されて表示される。画像表示欄32b、32c、32dには、該当する被検者の過去画像や体位を示す画像、撮影の方向等の情報が表示される。
【００６１】
CPU101は撮影条件設定画面32の表示残り時間(待機時間)が「0」となるまで待機する(ステップS108；No)。なお、表示残り時間(待機時間)が「0」となる前に、撮影条件設定領域32aがマウス108等でクリックされると、CPU101は自動画面遷移モードをOFFにし、撮影条件設定領域32aのデータの修正や追加入力を受け付ける。この場合は、CPU101は「撮影準備」ボタン(不図示)を撮影条件設定画面32内に表示する。「撮影準備」ボタンはデータの修正や追加入力が完了した際に操作者により操作される。「撮影準備」ボタンが押下されると強制的に次の処理(撮影準備)へ遷移する。
【００６２】
撮影条件設定画面32の表示残り時間が「0」になると(ステップS108；Yes)、CPU101は撮影準備処理を実行する(ステップS109)。撮影準備処理では、CPU101は医用画像撮影装置112の各部を制御し、X線装置のスタンバイやスキャンガントリ(回転盤)の回転、寝台の位置合わせ等を行う。医用画像撮影装置112の撮影準備が完了すると、CPU101は操作装置100の表示画面に「撮影開始」ボタン32eを表示、または操作装置100に設けられた「START」ボタン(不図示)を点滅させ、撮影開始操作が有効となるようにする。その後、撮影を開始するためには、撮影開始を指示する操作を手動で行う必要がある。操作者の操作によって「撮影開始」ボタン32eまたは「START」ボタンが押下されると(ステップS110)、CPU101は医用画像撮影装置112へ撮影開始指示を送信し、撮影を開始する(ステップS111)。
【００６３】
以上説明したように、本発明に係る医用画像診断装置1の操作装置100は、撮影準備に必要な情報として、被検者情報、検査情報、及び検査に適した撮影条件等の情報を取得し、取得した情報を、図4(a)の情報登録画面31、及び図4(b)の撮影条件設定画面32のように複数の段階に分けて所定の待機時間の経過に伴い順次表示する。また、撮影開始の指示は手動によって行う必要があるため、「撮影開始」ボタン32e等の操作手段を設ける。
【００６４】
「撮影開始」ボタン32eが操作者により操作されると、CPU101はこれをトリガとして撮影を開始するよう制御する。これにより、操作者が操作を行わなくても撮影に必要な情報が所定のタイミングで順に表示されるようになる。よって、集団検査等の予め受診する被検者と検査項目が決まっているような検査を多数行う場合、操作者が毎回被検者情報の登録、撮影条件の設定、撮影準備の手順を手動で行わなくてもよい。これにより操作者の作業負担は軽減され、検査全体のスループットを向上できる。
【００６５】
また、撮影条件設定画面32を表示した後、所定の待機時間経過後に撮影開始ボタン32eの表示を有効にし、操作可能な状態となるようにすれば、操作者による撮影条件の確認を必ず待機してから撮影を開始することとなるため、医用画像診断装置1を安全に扱うことが可能となる。
【００６６】
また、画面遷移の待機時間の設定または変更を、図3の自動遷移設定画面30等のように所定のユーザインターフェースにより行うことが可能であるため、操作者にとって適切なタイミングを自在に設定して、画面を遷移させることが可能となる。また操作者毎に画面遷移の待機時間を設定できるようにすれば、各操作者にとってより使い勝手がよいものとなる。
【００６７】
また、カードリーダやバーコードリーダ等のデータ読取装置114を用いて被検者情報を取得し、検査予約システム115等から該当する被検者の詳細情報及び検査情報、撮影プロトコル等を取得するようにすれば、操作者がキーボードの入力操作やマウス108のクリック操作等を一切行わなくても、撮影に必要な情報を取得したり撮影条件を設定したりできる。撮影準備までの手順を極めて簡素かつ円滑に進めることが可能となる。
【００６８】
なお、上述の処理例では、撮影に必要な情報が情報登録画面31及び撮影条件設定画面32の2段階に分けて表示される例を示したが、本発明はこれに限定されず、3段階以上に分けて順次表示されるものとしてもよい。その他、各画面のレイアウトや表示内容等は一例であり、適宜変更可能である。
【００６９】
［第2の実施の形態］
次に、本発明の第2の実施の形態について説明する。
【００７０】
第2の実施の形態では、第1の実施の形態の医用画像診断装置1において、画面遷移までの所定の待機時間の経過中に、操作者の操作により待機時間の調整を可能とする。そのため、CPU101は、図2に示すステップS104〜ステップS105及びステップS107〜ステップS108の待機時間経過中に、図5に示す計時調整処理を加えてもよい。
【００７１】
図5に示す手順のように、情報登録画面31や撮影条件設定画面32等の表示中、すなわち画面遷移までの待機時間の経過中において(ステップS201)、マウス108が操作者により操作されると(ステップS202)、CPU101はマウス108の動き情報を取得し、動きの方向に紐づけられた制御を実行する。マウス108の左右の動きは(ステップS202；左右移動)、経過時間を戻したり、進めたりするものとする。
【００７２】
具体的には図6に示すように、マウス108が左に動かされた場合は、CPU101は経過時間を戻し、マウス108が右に動かされた場合は、CPU101は時間経過を進めるものとする(ステップS203)。また例えば、マウス108が上下に動かされた場合は(ステップS202；上下移動)、CPU101は時間の経過速度を調整する。具体的には図6に示すように、マウス108が上に動かされた場合は、CPU101は時間の経過速度を現在の速度よりも速くし、下に動かされた場合は、CPU101は時間の経過速度を現在の速度よりも遅くする(ステップS204)。
【００７３】
図5の計時調整処理は、画面表示の残り時間(待機時間)が「0」になるまでの間に何度行ってもよい(図2のステップS105；No→図5のステップS202〜ステップS204)。その後、画面表示残り時間(待機時間)が「0」になると(ステップS205；Yes)、CPU101は計時調整処理を終了し、次の画面へ遷移する。或いは撮影準備処理へ移行する。
【００７４】
マウス108の動作と制御内容を対応付ける設定は、所定の設定画面にて予め設定可能とする。また、計時調整処理により経過速度等が調整された場合、CPU101は画面遷移直前の調整値を主メモリ102に画面毎に保持する。そして、一連の撮影準備処理(図2のステップS101〜ステップS111)の終了後に、主メモリ102に保持した調整値を画面遷移の設定情報を記録する所定の保存先に保存するようにすればよい。これにより、次の被検者の撮影準備処理を行う場合にも、前回調整した値を用いて、自動的に画面を遷移させることが可能となる。
【００７５】
以上説明したように、第2の実施の形態の医用画像診断装置1によれば、情報登録画面31から自動で撮影条件設定画面32へ遷移させる場合に、マウスで所定の操作を行うことにより、画面表示中に次の画面へ遷移するまでの時間や時間経過速度を調整することが可能となる。操作者が被検者情報や検査情報の確認にいつもよりも時間がかかったり、撮影条件設定画面遷移後に撮影条件の確認に時間がかかったりする場合には、操作者の操作によって自在に画面遷移までの時間を延長でき、これにより、操作者が未確認のまま次の画面に進む等の問題を防止できる。また画面の内容を確認した後は、操作者が操作すれば、その後の待機時間を待たずに次の画面へ進めることも可能となり、使い勝手がよくなる。
【００７６】
［第3の実施の形態］
被検者が小児や高齢者の場合、被検者のセッティングに時間がかかったり、本人確認に手間取ったりすることがある。これを考慮し、第1または第2の医用画像診断装置1において、CPU101は被検者の年齢に応じて画面遷移までの待機時間を決定してもよい。
【００７７】
CPU101は、被検者情報から被検者の年齢を取得し、年齢別に情報登録画面31から撮影条件設定画面32への移行時間を決定する。例えば、図3に示す自動遷移設定画面30等に年齢別に画面遷移時間を設定するためのチェックボックス等を追加する。設定された画面遷移待機時間は、年齢または年代でグルーピングされ、設定情報を記録する所定のファイルに保存される。
【００７８】
CPU101は、情報登録画面31の表示時に被検者情報から被検者の年齢を取得し、上述のファイルから年齢に該当する画面遷移待機時間を取得し、取得した画面遷移待機時間に基づいて画面の表示及び次画面への遷移を制御する。年齢を10代未満、10〜50代、60代、70代、80代以上等のようにいくつかのグループに分け、各年代グループと待機時間とを紐づけて設定してもよい。
【００７９】
［第4の実施の形態］
第1〜第3の医用画像診断装置1において、CPU101は画面遷移までの待機時間を各画面に表示する情報の量や重要度に基づいて設定してもよい。例えば、情報登録画面31には、被検者情報と検査情報が含まれるため、表示される項目数が多い。この場合は、確認に時間がかかるため、画面遷移の待機時間を長めに設定する。
【００８０】
また、各項目の文字数や重要度はそれぞれ異なるため、操作者が確認に必要な時間は各項目で異なる。したがって、CPU101は項目の文字数や重要度に応じて画面遷移までの待機時間を算出するようにしてもよい。
【００８１】
例えば、10文字で2秒の確認時間が必要とした場合、確認すべき項目が10項目あり、そのうちの3項目が10文字以上20文字以下とすると、それらの3項目に必要な確認時間は、基本時間2秒×1.5として計算する。この場合、表示時間は、(7項目×2秒)＋(3項目×(2秒×1.5))＝23秒となる。
【００８２】
なお、上述の基本時間は全ての項目で同一時間とするのではなく、項目の重要度に応じた時間としてもよい。例えば、重要度の高い項目については基本時間を標準の基本時間よりも長くとるものとする。このように項目数や文字数等の情報量や重要度によって画面遷移までの待機時間を算出し、設定する。これにより、より好ましいタイミングで画面を遷移させることが可能となる。
【００８３】
［第5の実施の形態］
第1〜第4の実施の形態において、画面遷移までの待機時間は、CPU101による学習処理によって最適化されることが望ましい。このため、第5の実施の形態の医用画像診断装置1では、第1の実施の形態の医用画像診断装置1の構成に加え、強制的に次の画面へ移行するための操作を入力するGUI(画面切替えボタン)等を設ける。CPU101は画面切替えボタンの操作によって操作者が強制的に次の画面へ遷移するまでの時間を計測し、学習データ4として記憶装置103または主メモリ102に記録する。学習データ4は、画面毎及びユーザ毎に記録されることが望ましい。
【００８４】
図7に示すように、学習データ4には、1検査毎に、検査日時、情報登録画面表示時間、撮影条件設定画面表示時間、及び操作者のユーザID等が記録される。なお、これらの項目は学習に必要最小限の項目であり、更に被検者の年齢や検査部位等を学習データ4に記録してもよい。
【００８５】
具体的には、CPU101は図4(a)に示す情報登録画面31を表示してから登録完了ボタン31cがクリックされるまでの時間を計測し、学習データ4の「情報登録画面表示時間」の項目に記録する。また、CPU101は図4(b)に示す撮影条件設定画面32を表示してから撮影準備ボタン(不図示)がクリックされるまでの時間を計測し、学習データ4の「撮影条件設定画面表示時間」の項目に記録する。
【００８６】
CPU101は、医用画像診断装置1をシャットダウンする際等の所定のタイミングで、学習データ4に記録された一定期間分のデータをユーザID単位、または全てのIDのデータを集約して、適切な情報登録画面表示時間、及び撮影条件設定画面表示時間を求める。例えば、各画面の表示時間の平均値等を適切な表示時間とすればよい。CPU101は、求めた適切な情報登録画面表示時間、及び撮影条件設定画面表示時間を待機時間設定情報として更新記録する。次回検査では、更新された待機時間設定情報を用いて、第1の実施の形態と同様に撮影準備処理(図2参照)を行う。
【００８７】
なお、操作装置100に学習処理を実行させるために、例えば、図3に示す自動遷移設定画面30等に学習モードのON/OFF設定の項目を追加してもよい。学習モードがONに設定された場合は、CPU101は検査の都度、学習データ4の収集を行う。また、学習モードがOFFに設定された場合は、CPU101は学習データ4を用いて求めた待機時間を使用して画面を遷移させる。或いは、第1の実施の形態と同様に自動遷移設定画面(図3)で設定された待機時間を使用するか、または学習データ4を用いて求めた待機時間を使用するかを選択可能としてもよい。CPU101は、操作者が選択した待機時間を使って画面を遷移させる。
【００８８】
以上説明したように、第5の実施の形態では学習機能を追加し、操作者が画面を遷移させるまでの時間を検査毎に計測して得た学習データ4から適切な待機時間を算出する。これにより、最適なタイミングで画面を遷移させることが可能となる。使用している操作者毎に学習処理を行えば、操作者毎にそれぞれ画面の確認速度が違う場合であっても快適なタイミングで画面遷移を行えるようになる。
【００８９】
［第6の実施の形態］
第6の実施の形態の医用画像診断装置1は、第1〜第5の実施の形態の医用画像診断装置1において、画面遷移のタイミングを操作者に通知する機能を更に備える。
【００９０】
図8は、第6の実施の形態の情報登録画面35の一例である。図8に示すように情報登録画面35には、被検者番号35a、受付番号35b、被検者名35c、生年月日35d、性別35e、年齢35f等の被検者に関する情報と、検査部位35g、撮影プロトコル35h、体位35i等の検査に関する情報が表示されている。
【００９１】
これらの被検者情報35a〜35f及び検査情報35g〜35iを表示中、CPU101は、あとどのくらいの時間で画面が遷移するのかを画面を遷移させる前に通知する。通知の方法としては、例えば、図8に示すような進捗バー36a、36bを表示することが望ましい。図8の例では、確認すべき項目の各入力フィールド(表示欄)そのものを、時間経過を示す進捗バー36a、36bとする。なお、確認すべき項目は、全ての項目(入力フィールド35a〜35i)としてもよいし、一部の項目でもよい。確認すべき項目の選択は、操作者が設定できるようにしてもよい。
【００９２】
CPU101は、確認すべき項目の表示欄(入力フィールド)を時間経過とともに順に塗りつぶすようにして進捗を示す。確認すべき全項目の表示欄(入力フィールド)が全て塗りつぶし完了したら、次の撮影条件設定画面32へ遷移する。
【００９３】
このように、待機時間の経過を示す進捗バー36a、36bを各項目に表示することにより、操作者は画面遷移までの時間を予測することが可能となる。また、確認時間が足りない、または長すぎると判断した場合には、第2の実施の形態に示す計時調整処理を行って、待機時間を調整することができる。
【００９４】
また、別の経過時間表示例として、図9に示すように画面の下(または上)に進捗バー37aを表示したり、画面遷移までの残り時間を画面上に表示したりしてもよい。また、図8及び図9に示すような視覚的な通知方法に加え、聴覚的な通知方法を組み合わせてもよい。聴覚的な通知方法では、CPU101は例えば画面が遷移する10秒前等に通知音を1回鳴動させる。更に、5秒前になると通知音を2回鳴動させる等である。または音声ガイドで残り時間を通知してもよい。
【００９５】
以上説明したように、画面が遷移するまでの時間を通知する機能を備えることで、操作者はあとどのくらいで画面が切り替わるのかを視覚的または聴覚的に知ることができる。残り時間の目安が分かるため、安心して情報を確認することができる。
【００９６】
［第7の実施の形態］
第1〜第6の実施の形態において、画面遷移の待機時間は、医用画像撮影装置112(スキャナガントリ等)側での操作に連動するよう調整されてもよい。一般に、医用画像診断装置1を用いた検査の流れは、まず操作者が被検者情報を確認し、その後被検者を検査室へ案内する。そこで操作者は被検者名等を確認し、画面に表示されている被検者情報と被検者が一致していることを確認しながら、寝台へ被検者をセッティングし、位置合わせする。位置合わせ完了後、操作者は操作室へ戻り、次に操作装置100で表示される撮影条件設定画面で撮影条件を確認した後、撮影を行う。
【００９７】
このような作業フローにおいて、被検者のセッティングが完了してから操作者が操作室へ戻るまでの時間、次の画面へ遷移しないのは時間のロスである。そこで、第7の実施の形態では、操作者が検査室にいるときにスキャナガントリ(医用画像撮影装置112)の操作ボタン等を使って被検者のセッティングを完了すると、医用画像撮影装置112のスキャナのスタンバイ等、撮影準備を開始するとともに、更にこのセッティング完了の操作をトリガとして操作装置100側ではCPU101は撮影条件設定画面32へ強制的に遷移するようにしてもよい。
【００９８】
これにより、画面遷移の待機時間が経過しなくとも操作者が操作室に戻ったときには操作装置100に撮影条件設定画面32がタイミングよく切り替わっているため、その後の作業がスムーズに進むようになる。一方、被検者のセッティング中に情報登録画面31の待機時間が経過した場合は、CPU101は待機時間を延長し、セッティング完了操作後に画面が遷移するように制御する。
【００９９】
図10のフローチャートを参照して、第7の実施の形態において操作装置100が実行する撮影準備処理の流れを説明する。
【０１００】
図10のフローチャートのステップS301〜ステップS304は第1の実施の形態のステップS101〜ステップS104と同様である。すなわち、操作装置100が起動されると、操作装置100のCPU101は、主メモリ102又は記憶装置103から自動画面遷移制御タスクを読み込み、実行する(ステップS301)。自動画面遷移モードがOFFの場合は(ステップS302；OFF)、そのまま自動画面遷移制御タスクを終了し、通常の処理(手動で画面を遷移させて撮影条件を設定する処理)へ移行する。
【０１０１】
自動画面遷移モードがONの場合は(ステップS302；ON)、CPU101は被検者情報及び検査情報を取得する(ステップS303)。被検者情報は、例えば診察券等に記録されたバーコード情報やカード情報等をデータ読取装置114が読み取ることにより取得される。またCPU101は入力された被検者情報に紐づけられている全ての被検者情報及び検査情報を検査予約システム115等から読み込む。
【０１０２】
CPU101は、ステップS103で取得した被検者情報及び検査情報を登録し、情報登録画面31に反映して表示する。表示開始とともに、表示時間を計時する(ステップS304)。情報登録画面31は、医用画像撮影装置112(スキャンガントリ)側に設けられたディスプレイにも表示される。
【０１０３】
ここで、操作者は検査室へ移動し、医用画像撮影装置112側に表示された被検者情報と被検者とが一致するか確認しながら、被検者を寝台へ誘導し、位置合わせする。位置合わせは医用画像撮影装置112に設けられた操作ボタンによって行われる。
【０１０４】
位置合わせが完了し、被検者セッティング完了ボタンが押下されると(ステップS305；Yes)、操作装置100のCPU101は、画面遷移の待機時間の経過を待たずに、撮影条件を読み出して撮影条件設定画面32を表示する(ステップS308)。
【０１０５】
位置合わせが完了しないまま、すなわち被検者セッティング完了ボタンが押下されないまま(ステップS305；No)、待機時間が経過すると(ステップS306；Yes)、操作装置100のCPU101は、待機時間を所定の時間だけ延長し(ステップS307)、ステップS305へ戻る。
【０１０６】
その後、被検者セッティング完了操作が行われる(ステップS305；Yes)、ステップS308へ移行し、撮影条件を読み出し撮影条件設定画面32を表示する。CPU101は表示開始とともに表示時間を計時する(ステップS308、S309)。操作者が被検者の位置決めを終えて検査室へ戻ると、操作装置100の表示装置107には撮影条件設定画面32が表示された状態となっている。
【０１０７】
その後、操作者は、撮影条件設定画面32の表示中に内容を確認する。CPUは所定の待機時間をカウントダウンし、表示残り時間が「0」になると(ステップS310；Yes)、撮影準備処理を実行する(ステップS311)。撮影準備が完了すると、CPU101は「撮影開始」ボタン32eを表示し、撮影開始操作が有効となるようにする。その後、撮影を開始するためには、操作者によって「撮影開始」ボタン32eを押下するなど、撮影開始を指示する操作を手動で行う必要がある。撮影開始操作が手動で行われると(ステップS312)、CPU101は撮影処理を開始する(ステップS313)。
【０１０８】
このように、本発明の医用画像診断装置1は、医用画像撮影装置112側の操作と連動して、待機時間を待たずに画面遷移を行ったり、待機時間を自動延長したりするようにしてもよい。これにより、撮影準備中の操作者の作業フローに合わせて画面を遷移させることができ、円滑に検査を進めることが可能となる。
【０１０９】
以上、添付図面を参照しながら、本発明に係る医用画像診断装置1等の好適な実施形態について説明したが、本発明はかかる例に限定されない。当業者であれば本願で開示した技術的思想の範疇内において、各種の変更例又は修正例に想到し得ることは明らかであり、それらについても当然に本発明の技術的範囲に属するものと了解される。
【符号の説明】
【０１１０】
1  医用画像診断装置、100  操作装置、101  CPU、102  主メモリ、103  記憶装置、104  通信I/F、105  表示メモリ、106  I/F、107  表示装置、108  マウス、109  入力装置、110  ネットワーク、111  画像データベース、112  医用画像撮影装置、113  バス、114  データ読取装置、115  検査予約システム、30  自動遷移設定画面、31  情報登録画面、32  撮影条件設定画面、32e  撮影開始ボタン、36a、36b、37a  進捗バー、4  学習データ
【図１】
2017086101.tif 000003
【図２】
2017086101.tif 000004
【図３】
2017086101.tif 000005
【図４】
2017086101.tif 000006
【図５】
2017086101.tif 000007
【図６】
2017086101.tif 000008
【図７】
2017086101.tif 000009
【図８】
2017086101.tif 000010
【図９】
2017086101.tif 000011
【図１０】
2017086101.tif 000012
【国際調査報告】
2017086101.tif 000013
2017086101.tif 000014